(57)【特許請求の範囲】
【請求項１】
１３５サイズの写真フイルムを挟み込んだフイルムキャリアがセットされるキャリアホルダと、
フイルムキャリア内の写真フイルムを照明するランプと、
このランプで照明された写真フイルムを撮像するイメージセンサとを備え、撮像した画像を表示装置に表示する観察装置に用いられる観察用アダプタにおいて、
１３５サイズの写真フイルムよりも幅寸法の小さな現像済みの写真フイルムがスプールに巻き付けられて収納されたフイルムカートリッジが装填されるカートリッジ室と、
カートリッジ室から送り出された写真フイルムを巻き取って収納するフイルム巻取り室と、
該カートリッジ室とフイルム巻取り室との間を連結するとともに、キャリアホルダにセットされるフイルム通路部と、
このフイルム通路部内に設けられ、カートリッジ室とフイルム巻取り室との間で写真フイルムを通行させるフイルム通路と、
前記イメージセンサに対面するようにフイルム通路部の一方の面に形成された写真フイルム観察用の開口と、
この開口に対面する他方の面に設けられて前記ランプと対面し、写真フイルムを均一に照明する拡散板と、
写真フイルムをカートリッジ室からフイルム巻取り室に向けて送るとともに、フイルム巻取り室内の写真フイルムをフイルムカートリッジ内に巻き戻すフイルム搬送機構と、
このフイルム搬送機構を駆動するモータとを備えたことを特徴とする写真フイルム画像の観察用アダプタ。
【請求項２】
前記カートリッジ室のフイルムカートリッジ装填口を塞ぐ蓋部材が設けられ、この蓋部材を閉じた状態でロックするとともに、フイルムカートリッジから写真フイルムが引き出されているときに、蓋部材の開放を阻止するロック機構を設けたことを特徴とする請求項１記載の写真フイルム画像の観察用アダプタ。
【請求項３】
前記モータの電源に、電池を用いたことを特徴とする請求項１又は２いずれか記載の写真フイルム画像の観察用アダプタ。
【請求項４】
前記フイルム搬送機構の駆動を、写真フイルムの送り方向と巻戻し方向とに切り替える操作スイッチを設けたことを特徴とする請求項１ないし３いずれか記載の写真フイルム画像の観察用アダプタ。
【請求項５】
前記フイルムカートリッジは、フイルム出入り口を開閉するように回動される遮光蓋を備えており、前記カートリッジ室内に、遮光蓋の端部に係合して開閉位置の間で回動させる遮光蓋駆動機構を設けたことを特徴とする請求項１ないし４いずれか記載の写真フイルム画像の観察用アダプタ。
【請求項６】
前記遮光蓋駆動機構は、前記カートリッジ室の蓋部材の開閉操作に連係して駆動されることを特徴とする請求項５記載の写真フイルム画像の観察用アダプタ。
【請求項７】
前記フイルムカートリッジは、スプールとともに回転して、現像済みの表示を含む少なくとも２種類の収納した写真フイルムの使用状況を表示する表示機構を有し、前記フイルム搬送機構は、フイルム巻取り室から写真フイルムを巻戻した後に、該表示機構が現像済みを示すようにスプールを停止させることを特徴とする請求項１ないし６いずれか記載の写真フイルム画像の観察用アダプタ。
【発明の詳細な説明】
【０００１】
【発明の属する技術分野】
本発明は、現像済みの写真フイルムを撮像して観察する観察装置に用いられる写真フイルム画像の観察用アダプタに関するものである。
【０００２】
【従来の技術】
写真フイルムに撮影された画像やプリント写真に記録された画像等を撮像し、ビデオ信号をビデオやテレビ、プリンタ等に出力して観察する観察装置である画像入力装置が各種提供されている。このような画像入力装置のなかには、縦型に形成された本体部内に光学系やイメージセンサ等からなる撮像装置を上方に向けて配置し、この本体部の上部に１３５サイズの現像済みの写真フイルムが挟み込まれたフイルムキャリアがセットされるヘッド部を設け、このヘッド部の上方からフイルムキャリア内の写真フイルムを照明する照明装置を備えたものがある。
【０００３】
また、１３５サイズの写真フイルムの他に、当技術分野で提案され、雑誌「写真工業」（（株）写真工業出版社  １９９４年１２月号  ｐ．１１）にも紹介されたＡＰＳ（Ａｄｖａｎｃｅｄ  Ｐｈｏｔｏ  Ｓｙｓｔｅｍ）対応の写真フイルムがある。この写真フイルムは、専用のプラスチック製のフイルムカートリッジに収納されている。そして、フイルムカートリッジ単体であるときには写真フイルムを全てカートリッジ本体内に収納しておき、カメラ等の機器に装填された際にスプールの回転によってフイルム出入り口から写真フイルムの先端を送り出すようになっている。また、フイルムカートリッジではフイルム出入り口の遮光に、フイルム出入り口を開閉するように回動される遮光蓋が用いられており、この遮光蓋の端部には、外部から回動用の駆動軸等が係合される係合部が設けられ、スプールの係合穴とともにカートリッジ本体の端面から露呈されている。
【０００４】
上記ＡＰＳでは、現像したあとの写真フイルムを従来のようにネガピースとせずに、再びカートリッジ本体内に巻き込んでカートリッジ本体ごとユーザーに返却するようになっている。そのため、焼増し等の処理は、フイルムカートリッジから現像済みの写真フイルムを引き出して行われる。
【０００５】
【発明が解決しようとする課題】
現像済みの写真フイルムを収納したフイルムカートリッジは、そのまま様々な機器に装填して使用されるように構成されているが、従来の画像入力装置は、主に１３５サイズの写真フイルムを入力する構成となっているため、ＡＰＳ対応の写真フイルムをセットすることができないという問題がある。これを解決するために、ＡＰＳ対応の写真フイルムを挟み込んでヘッド部に挿入するフイルムキャリアを用いることも考えられるが、写真フイルムのフイルムキャリアにセットされた以外の部分と、フイルムカートリッジとをヘッド部から垂れ下げておくことになり、写真フイルムが傷んだり、フイルムカートリッジの利点が活かせないという問題がある。
【０００６】
本発明は、上記課題を解決するためのもので、フイルムカートリッジの利点を活かして写真フイルムを観察装置で観察するためのアダプタを提供するものである。
【０００７】
【課題を解決するための手段】
上記問題点を解決するために、請求項１記載の写真フイルム画像の観察用アダプタは、１３５サイズの写真フイルムの画像を観察する観察装置に用いられるもので、１３５サイズの写真フイルムよりも幅寸法の小さな現像済みの写真フイルムがスプールに巻き付けられて収納されたフイルムカートリッジが装填されるカートリッジ室と、カートリッジ室から送り出された写真フイルムを巻き取って収納するフイルム巻取り室と、該カートリッジ室とフイルム巻取り室との間を連結するとともに、キャリアホルダにセットされるフイルム通路部と、このフイルム通路部内に設けられ、カートリッジ室とフイルム巻取り室との間で写真フイルムを通行させるフイルム通路と、前記イメージセンサに対面するようにフイルム通路部の一方の面に形成された写真フイルム観察用の開口と、この開口に対面する他方の面に設けられて前記ランプと対面し、写真フイルムを均一に照明する拡散板と、写真フイルムをカートリッジ室からフイルム巻取り室に向けて送るとともに、フイルム巻取り室内の写真フイルムをフイルムカートリッジ内に巻き戻すフイルム搬送機構と、このフイルム搬送機構を駆動するモータとから構成したものである。
【０００８】
また、請求項２記載の写真フイルム画像の観察用アダプタは、カートリッジ室のフイルムカートリッジ装填口を塞ぐ蓋部材が設けられ、この蓋部材を閉じた状態でロックするとともに、フイルムカートリッジから写真フイルムが引き出されているときに、蓋部材の開放を阻止するロック機構を設けたものである。
【０００９】
更に、請求項３記載の写真フイルム画像の観察用アダプタは、モータの電源に電池を用いたものである。また、請求項４記載の写真フイルム画像の観察用アダプタは、フイルム搬送機構の駆動を、写真フイルムの送り方向と巻戻し方向とに切り替える操作スイッチを設けたものである。
【００１０】
更に、請求項５記載の写真フイルム画像の観察用アダプタは、フイルム出入り口を開閉するように回動される遮光蓋を備えたフイルムカートリッジを用いる場合、カートリッジ室内に遮光蓋の端部に係合して開閉位置の間で回動させる遮光蓋駆動機構を設けたものである。また、請求項６では、遮光蓋駆動機構をカートリッジ室の蓋部材の開閉操作に連係して駆動するようにしたものである。
【００１１】
また、請求項７記載の写真フイルム画像の観察用アダプタは、スプールとともに回転して、現像済みの表示を含む少なくとも２種類の収納した写真フイルムの使用状況を表示する表示機構を備えたフイルムカートリッジを用いる場合、フイルム巻取り室から写真フイルムを巻戻した後に、該表示機構が現像済みを示すようにスプールをフイルム搬送機構で停止させるようにしたものである。
【００１２】
【発明の実施の形態】
以下に、本発明の写真フイルム画像の観察用アダプタ（以下観察用アダプタと記す）について図面を参照しながら説明する。図２は、観察用アダプタが用いられる観察装置である画像入力装置２の未使用時の状態を示すものである。画像入力装置２は、縦型に構成された本体部３と、この本体部３の両側面に軸着され、本体部３に対して起伏自在とされた一対のアームスタンド４，５と、本体部３の上部に回動自在に組み付けられたヘッド部６とから構成されている。本体部３には、レンズ等の光学系とＣＣＤや各種電気回路等からなる撮像装置７７（図７参照）が組み込まれており、その側面には各種操作スイッチや画像出力用の端子７等が露呈されている。撮像装置７７は、本体部３内で上方のヘッド部６に向けて配置されている。
【００１３】
アームスタンド４，５は板状とされており、それぞれが２個の軸着部４ａ，５ａで本体部３を挟み込むようにして回動自在に取り付けられている。アームスタンド４，５の先端は、不使用時に本体部３の下面３ａよりも下方に位置するように長くされており、滑り止め用のゴム９，１０が取り付けられている。
【００１４】
これらアームスタンド４，５は、画像入力装置２の不使用時には、本体部３に対して倒伏された状態となり、画像入力装置２を小型にしている。また、写真フイルムを撮像する際には、図３に示すように、本体部３に対して小さく開かれ、両アームスタンド４，５の先端に取り付けられたゴム９，１０と、本体部３の下面３ａとで接地されて画像入力装置２を正立状態に支持する。
【００１５】
更に、プリント写真や小型の立体物等を撮像する際には、図示しないが、両アームスタンド４，５は本体部３から大きく開かれ、先端のゴム９，１０で本体部３を倒立状態で支持し、ヘッド部６の下方に被撮像物を配置する。アームスタンド４，５は、それぞれの位置でロックされるようになっている。
【００１６】
ヘッド部６は、本体部３に対して回動自在とされており、画像の向きを容易に変えることができるようになっている。また、ヘッド部６の上部には、例えば６コマのピース状に切断された写真フイルムを保持したフイルムキャリアを保持するキャリアホルダ１５が設けられており、このキャリアホルダ１５にはフイルムキャリアが挿入されるスロット１４が形成されている。更にヘッド部６には、ヒンジ１６，１７によって開閉自在とされたランプハウス１８，１９とが組み付けられている。
【００１７】
キャリアホルダ１５は、ヘッド部６に組み付けられた下ホルダ２１と、この下ホルダ２１の上部に着脱自在に組み付けられる上ホルダ２２とから構成されている。下ホルダ２１には、スロット１４の下部側を構成する凹部２３が形成されており、この凹部２３には撮像用の開口２４が設けられている。本体部３内の撮像装置７７は、この開口２４を通して撮像を行う。下ホルダ２１は、ヘッド部６に対して長手方向でスライド自在とされており、容易に写真フイルムのセンター合わせ，トリミング等を行うことができる。
【００１８】
また、上ホルダ２２には、スロット１４の上部側を構成する切欠２５が形成されており、開口２４よりも大きな撮像用の開口２６が形成されている。この開口２６は、ランプハウス１８，１９や自然光等の照明光を写真フイルムに向けて通過させる。下ホルダ２１に対する上ホルダ２２の組み付けは、上ホルダ２２に形成された穴２２ａを貫通して下ホルダ２１に形成されたネジ穴２１ａに螺合する２本のネジ２８によって行われ、容易に取り外しが可能となっている。
【００１９】
また、上ホルダ２２の下面には、金属の薄板で形成された２個の圧板３０が下方に向かって弾性を有するように組み付けられている。これらの圧板３０は、スロット１４に挿入されたフイルムキャリアを下ホルダ２１の凹部２３とで挟み込んで保持する。
【００２０】
ランプハウス１８，１９は、それぞれ内部にランプ１８ａ，１９ａ（図７参照）が内蔵されており、写真フイルムを撮像する際には、図２に示すようにヘッド部６に対して閉じられ、ヘッド部６内の写真フイルムを上から照明する。また、プリント写真や立体物を撮像する際には、図３に示すようにヘッド部６に対して開かれて、ヘッド部６の下方の被撮像物を照明する。この画像入力装置２は、ネガ，ポジ両方の現像済み写真フイルムを入力することができる。
【００２１】
図１は、観察用アダプタ３３及びフイルムカートリッジ３５の外観を示すものである。フイルムカートリッジ３５は、プラスチックで成形された略円柱形状のカートリッジ本体３６内にスプール３７を回転自在に組み込み、このスプール３７に現像済みの写真フイルム例えばネガフイルム３８を全て巻き付けた状態で収納する。カートリッジ本体３６からはポート部３９が突出されており、このポート部３９にはネガフイルム３８が出入りするフイルム出入り口４０（図４参照）が形成され、その奥にフイルム出入り口を開閉する遮光蓋４１が回動自在に組み付けられている。
【００２２】
図４に示すように、遮光蓋４１は、フイルム出入り口４０を開放する開き位置と、図５に示すように、フイルム出入り口４０を閉鎖する閉じ位置との間で回動自在とされている。
【００２３】
また、フイルムカートリッジ３６は、内部に特開平６−２６６０５３号公報で知られるようなフイルム送り出し機構が内蔵されており、スプール３７を図中反時計方向のフイルム送出し方向に回転させることによって、ネガフイルム３８がフイルム出入り口４０を通して頭出しされる。
【００２４】
このカートリッジ本体３６は、未使用の写真フイルムを収納して販売されるカートリッジ本体と同じものであり、同時プリントの処理時にカートリッジ本体から引き出した写真フイルムを現像処理し、再度カートリッジ本体に巻き込んだものである。
【００２５】
カートリッジ本体３６内に収納されている写真フイルムの状態は、カートリッジ本体３６内に組み込まれている使用表示機構によって外部から確認できる。この使用表示機構は、カートリッジ本体３６の一方の端面に形成された４個の開口状の表示マーク４３ａ，４３ｂ，４３ｃ，４３ｄと、これらの表示マーク４３ａ〜４３ｄの背後でスプール３７と一体に回転される表示板８３（図８参照）とからなる。各表示マーク４３ａ〜４３ｄは、それぞれ未使用，途中使用，撮影済み，現像済みを表し、表示板８３はいずれかの表示マークの背後に位置して、その表示マークを他と区別表示する。なお、スプール３７は、遮光蓋４１が閉じ位置にあるときには回転がロックされるため、不用意に回転されて誤った使用表示がなされることはない。
【００２６】
上記表示板８３の位置決めは、表示マーク４３ａ〜４３ｄが設けられたのと反対側の端面に設けられたデータ板８４（図８参照）によって行われる。このデータ板８４は、スプール３７と一体に回転されるもので、円形の板の一部が切り欠かれた形状となっており、その表面に収納した写真フイルムのタイプや感度，撮影枚数等を示すバーコードが記されている。そして、データ板８４の切欠の位置を外部から検出してスプール３７を所定の位置に停止することにより、使用表示機構の表示板８３をいずれかの表示マーク４３ａ〜４３ｄの背後に停止させることができる。
【００２７】
観察用アダプタ３３は、内部にフイルムカートリッジ３５が軸方向から挿入されるカートリッジ室４５が形成された第１本体部４６と、カートリッジ室４５内のフイルムカートリッジ３５から送り出されたネガフイルム３８を巻き取るフイルム巻取り室４７と電源用の電池４８が２本収納される電池室４９とが形成された第２本体部５０と、第１本体部４６と第２本体部５０との間をブリッジ状に連結するとともに、カートリッジ室４５とフイルム巻取り室４７との間でネガフイルム３８を通過させるフイルム通路を内部に備えたフイルム通路部５１とから構成されている。
【００２８】
電池４８には、例えば単三電池が２本用いられ、電池室４９に軸方向から挿入される。電池室４９の蓋４９ａはスライド式のものとなっており、内面に電池４８の端子に接触する金属接片が組み付けられている。なお、この金属接片のプラス側端子が接触される部分の前方に、マイナス側端子が接触されるのを防止する壁を設けるとともに、この壁にプラス側端子が挿入される溝を設けることもできる。これによれば、電池４８が誤った方向で装填されても電流が流れるのを防止することができる。
【００２９】
第１本体部４６の一方の端面には、カートリッジ室４５を開閉する蓋部材５３が回動自在に軸着されている。この蓋部材５３の内面には、フイルムカートリッジ３５のスプール３７内に入り込んで軸支するピン５４と、蓋部材５３を閉じた状態でロックするロック機構に係止される被係合爪５５とが設けられている。被係合爪５５は、蓋部材５３が閉じられるとカートリッジ４５室の側方に形成されたスリット５６内に挿入され、スリット５６内に配置された係合爪に係合される。
【００３０】
ロック機構は、第１本体部４６の側面に回動自在に組み付けられた操作レバー５８によって操作され、図６に示すように、蓋部材５３が閉じられてから操作レバー５８を図中反時計方向に回動させると、操作レバー５８に一体に形成された係合爪６０が被係合爪５５に係合して蓋部材５３の開放を阻止する。
【００３１】
また、操作レバー５８の操作によってフイルムカートリッジ３５の遮光蓋４１を開閉する遮光蓋駆動機構を駆動するようになっている。操作レバー５８の軸６２には、カートリッジ室４５の奥の端面まで到達する駆動レバー６３が組み付けられており、この駆動レバー６３は、カートリッジ室４５の奥の端面に軸支され遮光蓋４１の端部に係合される駆動軸６４に一体に形成された連結レバー６５と係合している。
【００３２】
これにより、カートリッジ室４５にフイルムカートリッジ３５を装填し、蓋部材５３を閉じてから操作レバー５８をロック位置（図１中における反時計方向）に回動させると、係合爪６０が被係合爪５５を係止するとともに、駆動レバー６３が操作レバー５８と同方向に回動される。すると、連結レバー６５を介して駆動軸６４が図中反時計方向に回動され、これに係合された遮光蓋４１が開き位置に向けて回動されることにより、フイルム出入り口４０が開放される。
【００３３】
また、これとは逆に操作レバー５８を蓋部材５３の開放位置に回動させると、駆動軸６４は遮光蓋４１の閉じ位置に向けて回動されてフイルム出入り口４０が閉鎖され、更に蓋部材５３のロックが解除されてカートリッジ室４５からのフイルムカートリッジ３５の取出しが可能となる。
【００３４】
更に上記ロック機構は、カートリッジ室４５内に装填されたフイルムカートリッジ３５からネガフイルム３８が引き出されているときには、ロック解除の操作ができないようになっている。これは、ネガフイルム３８によって遮光蓋４１が閉じ位置に回動できないためで、連結レバー６５と駆動レバー６３とを介して操作レバー５８の回動操作が阻止される。
【００３５】
フイルム通路部５１は、図７に断面を示すように、一方がカートリッジ室４５に連結され、他方がフイルム巻取り室４７に連結されたフイルム通路６７が形成されている。このフイルム通路６７は、上下に配置された板状の搬送ガイド６８，６９によって形成されており、上下搬送ガイド６８，６９の上下方にはそれぞれ観察用アダプタ３３の外装板７０，７１が配置されている。
【００３６】
上下搬送ガイド６８，６９には、それぞれ開口７２，７３が形成されており、下搬送ガイド６９の開口７３は素通しとされ、上搬送ガイド６８の開口７２には乳白色の拡散板７４が嵌め込まれている。また、上下外装板７０，７１にもそれぞれ拡散板７４と開口７３とに対面する位置に開口７５，７６が形成されている。フイルム通路６７内を搬送されたネガフイルム３８は、撮影されたコマがこれらの開口７３と拡散板７４との間で停止される。そして、ネガフイルム３８は拡散板７４によって均一に照明され、下外装板７１の開口７６と下搬送ガイド６９の開口７３とを介してネガフイルム３８の画像を見ることができる。
【００３７】
また、図８に示すように、観察アダプタ３３内には、カートリッジ室４５内のフイルムカートリッジ３５とフイルム巻取り室４７との間でネガフイルム３８を搬送するフイルム搬送機構が組み込まれている。このフイルム搬送機構は、巻取り軸７９，スプール駆動軸８０，モータ８１，駆動伝達機構８２等から構成されている。
【００３８】
巻取り軸７９は、フイルム巻取り室４７内に回転自在に組み込まれており、外周に摩擦係数の高いゴム等の層が設けられた円筒状のローラとなっている。フイルム通路６７を通過してきたネガフイルム３８の先端は、図示しないガイドローラによって巻取り軸７９の外周に押し付けられ、巻取り方向に回転する巻取り軸７９の表面の摩擦によって巻き付けられる。巻取り軸７９の端面には、駆動伝達機構８２からモータ８１の回転が伝達されるギヤ８６が取り付けられている。
【００３９】
モータ８１は、巻取り軸７９の内部の空洞に配置されている。このモータ８１の回転軸８７は、巻取り軸７９の端面から突出されてギヤ８８が組み付けられており、このギヤ８８はモータ８１の回転力を駆動伝達機構８２に伝達する。
【００４０】
スプール駆動軸８０は、カートリッジ室４５内に装填されたフイルムカートリッジ３５のスプール３７に係合され、同軸で組み付けられたギヤ９０に駆動伝達機構８２からモータ８１の回転が伝達される。
【００４１】
駆動伝達機構８２は、複数枚のギヤによってモータ８１のトルクを増加させて、巻取り軸７９とスプール駆動軸８０とにそれぞれ伝達する。また、駆動伝達機構８２には、フイルム送り時と巻戻し時とで一方の軸への回転の伝達を解除する一方向クラッチが組み込まれている。
【００４２】
フイルムカートリッジ３５が装填されて所定の操作がなされると、駆動伝達機構８２は、モータ８１の回転をギヤ８６とギヤ９０とに伝達し、スプール駆動軸８０をフイルム送出し方向に、巻取り軸７９をフイルム巻取り方向に回転させる。これによりフイルム出入り口４０からネガフイルム３８が送り出され、フイルム通路６７を通ってフイルム巻取り室４７に搬送される。
【００４３】
フイルム巻取り室４７に到達したネガフイルム３８は、フイルム巻取り方向に回転されている巻取り軸７９の外周に先端が巻き付けられる。この巻取り軸７９の回転速度は、駆動伝達機構８２内のギヤ構成によってスプール駆動軸８０の回転速度よりも速く設定されているため、巻取り軸７９がネガフイルム３８を巻き取り始めると、駆動伝達機構８２内の一方向クラッチが働き、スプール駆動軸８０は従動回転される。
【００４４】
これとは逆にフイルム巻取り室４７内のネガフイルム３８をフイルムカートリッジ３５内に巻戻す際には、駆動伝達機構８２内の一方向クラッチが働いてスプール駆動軸８０のみがフイルム巻取り方向に回転される。
【００４５】
また、観察用アダプタ３３内には、制御回路９２と、この制御回路９２に各種検出信号を入力するパーフォレーションセンサ９３，データ板検出センサ９４，スイッチ回路９５等が設けられている。制御回路９２は、パーフォレーションセンサ９３，スイッチ回路９４，データ板検出センサ９５等からの検出信号に基づいてモータドライバ９６を介してモータ８１の回転を制御する。また、制御回路９２には電池４８が接続されており、モータ８１等への電源供給は制御回路９２を介して行われる。
【００４６】
パーフォレーションセンサ９３は、ネガフイルム３８のパーフォレーションを検出するもので、例えば透過型の光電センサが用いられる。ネガフイルム３８には、１コマの撮影画像９８のフイルム送り方向の先頭側と後部側とにそれぞれパーフォレーション９９ａ，９９ｂが形成されているが、パーフォレーションセンサ９３はこれらのパーフォレーション９９ａ，９９ｂを検出してその検出信号を制御回路９２に入力する。
【００４７】
スイッチ回路９４には、第１本体部４６の上面に設けられたボタン式の１コマ送りスイッチ１０１，逆送りスイッチ１０２，巻戻しスイッチ１０３が接続されており、各スイッチ１０１〜１０３の押圧操作に応じた信号を制御回路９２に入力する。
【００４８】
１コマ送りスイッチ１０１は、ネガフイルム３８を撮影画面９８の１コマ分をフイルム巻取り室４７へ向けて搬送する際に操作される。１コマ送りスイッチ１０１が操作されると、制御回路９２はモータ８１を駆動し、駆動伝達機構８３によって巻取り軸７９をフイルム巻取り方向に回転させる。このフイルム搬送中に、制御回路９２はパーフォレーションセンサ９３からの検出信号を確認し、１コマ分のネガフイルム３８が搬送された時点でモータ８１の駆動を停止する。
【００４９】
また、１コマ送りスイッチ１０１は、カートリッジ室４５に装填されたフイルムカートリッジ３５からネガフイルム３８を送り出すときにも用いられる。１コマ送りスイッチ１０１の操作により、フイルムカートリッジ３５から送り出されたネガフイルム３８は、フイルム通路６７を通過してフイルム巻取り室４７に到達し、巻取り軸７９に巻き付けられる。制御回路９２は、この期間のパーフォレーションセンサ９３からの検出信号を確認し、ネガフイルム３８の撮影画面９８の１コマ目が所定の位置に停止されるように制御する。
【００５０】
逆送りスイッチ１０２は、ネガフイルム３８をフイルム巻取り室４７からカートリッジ室４５に向けて搬送する際に操作される。制御回路９２は、逆送りスイッチ１０２が押圧されている間、モータ８１を駆動して駆動伝達機構８３によりスプール駆動軸８０をフイルム巻き戻し方向に回転させ、ネガフイルムを３８をフイルムカートリッジ３５内に巻き戻す。また、制御回路９２は、逆送りスイッチ１０２が操作されている間パーフォレーションセンサ９３からの検出信号を確認しており、逆送りスイッチ１０２の操作が解除されたときに、最後に検出したパーフォレーション９９ｂに対応する撮影画面９８の次の撮影画面９８を開口７３と拡散板７４との間に停止させる。
【００５１】
巻戻しスイッチ１０３は、ネガフイルム３８を全てフイルムカートリッジ３５内に巻き戻す際に用いられる。制御回路９２は、巻戻しスイッチ１０３が押圧されると、モータ８１と駆動伝達機構８２とによってスプール駆動軸８０をフイルム巻取り方向に駆動させ、ネガフイルムを３８をフイルムカートリッジ３５内に全て巻き戻す。なお、このフイルム巻き戻しの際には、一方向クラッチによって巻取り軸７９への回転の伝達が解除され、巻取り軸７９は従動回転する。
【００５２】
データ板検出センサ９５は、フイルムカートリッジ３５のデータ板８４に対面して配置されており、データ板８４の切欠の位置を検出して制御回路９２に検出信号を入力する。データ板検出センサ９５には、例えば反射型の光電センサが用いられている。制御回路９２は、ネガフイルム３８が全てフイルムカートリッジ３５内に巻き戻された後に、データ板検出センサ９５でデータ板８４の切欠の位置を確認し、使用表示機構の表示板８３が使用済みの表示マーク４３ｄの背後に配置されるように、スプール３７を所定の位置に停止する。
【００５３】
次に、以上で説明した観察用アダプタ３３の作用について説明する。図１に示すように、観察用アダプタ３３の操作レバー５８をロックの解除側に回動操作して、蓋部材５３を開放する。そして、第１本体部４６のカートリッジ室４５にフイルムカートリッジ３５を軸方向から挿入する。これにより、フイルムカートリッジ３５のスプール３７と遮光蓋４１との端部に、スプール駆動軸８０と駆動軸６４とが係合される。
【００５４】
フイルムカートリッジ３５の装填後に、蓋部材５３を閉じて操作レバー５８を図中反時計方向のロック側に回動操作する。すると、図６に示すように、蓋部材５３の被係合爪５５が係合爪６０に係止され、蓋部材５３は閉じ位置でロックされる。また、この操作レバー５８のロック操作に連動し、駆動レバー６３，連結レバー６５を介して駆動軸６４が図中反時計方向に回動される。これにより、遮光蓋４１は、図５に示す閉じ位置から図４に示す開き位置に回動され、フイルム出入り口４０が開放される。
【００５５】
上記観察用アダプタ３３がセットされる画像入力装置２は、図３に示すように、キャリアホルダ１５の上ホルダ２２をネジ２８を緩めて取り外しておく。また、ネガフイルム３８の画像を観察できるように、画像入力装置２の画像出力を例えばテレビ等い接続する。そして、図９に示すように、下ホルダ２１の凹部２３にフイルム通路部５１を載置し、ランプハウス１８，１９を閉じる。
【００５６】
この状態で、ランプハウス１８，１９のランプ１８ａ，１９ａを点灯し、画像入力装置２から画像信号をテレビに出力させても、まだ撮像装置７７に対面する位置にネガフイルム３８が送られていないので、テレビには画像は表示されない。画像入力装置２にセットされた観察用アダプタ３３の１コマ送りスイッチ１０１を操作すると、図８に示すように、制御回路９２がモータ８１を駆動し、駆動伝達機構８２によってスプール駆動軸８０がフイルム送出し方向に回転される。これにより、ネガフイルム３８の先端はフイルムカートリッジ３５から送り出され、図７に示すフイルム通路６７を通過してフイルム巻取り室４７に向けて搬送される。
【００５７】
フイルム巻取り室４７に到達したネガフイルム３８は、巻取り軸７９に巻き付けられる。その後、駆動伝達機構８３内の一方向クラッチの働きにより、スプール駆動軸８０は従動回転して、巻取り軸７９がネガフイルム３８を巻き取る。制御回路９２は、この期間のパーフォレーションセンサ９３からの検出信号を確認しており、ネガフイルム３８の撮影画面９８の１コマ目が、開口７３と拡散板７４との間の所定の位置に停止されるようにモータ８１を停止する。
【００５８】
これにより、図７に示すように、ネガフイルム３８の１コマ目の撮影画像９８は、開口７５と拡散板７４とを介してランプ１８ａ，１９ａにより照明され、開口７３，７６，２４を介して撮像装置７７に撮像され、その画像がテレビに表示される。
【００５９】
ネガフイルム３８の他の撮影画像９８を観察する場合には、図１に示す１コマ送りスイッチ１０１を押圧操作する。これにより、制御回路９２はモータ８１を駆動して巻取り軸７９をフイルム巻取り方向に回転させ、パーフォレーションセンサ９３の検出信号に基づいて、次の撮影画像が拡散板７４の下方に配置される。この１コマ送りスイッチ１０１の操作を繰り返すことにより、ネガフイルム３８の撮影画像９８を先端側から後端側まで順次に観察することができる。
【００６０】
また、画像入力装置２でズーム操作を行うと、撮影画面９８の一部しか表示されなくなるが、この場合には観察用アダプタ３３を下ホルダ２１の凹部２３に沿ってスライドさせたり、下ホルダ２１をヘッド６に対してスライドさせることにより、拡大された撮影画面９８の他の部分を観察することができる。
【００６１】
また、ネガフイルム３８の後端側の撮影画像９８まで観察した後で、再び先端側の撮影画像９８を観察したい場合には、逆送りスイッチ１０２を操作する。制御回路９２は、逆送りスイッチ１０２が押圧されている間スプール駆動軸８０をフイルム巻戻し方向に回転させる。そして、テレビの画像を見ながら必要な撮影画像が表示されたときに逆送りスイッチ１０２の操作を停止すると、その撮影画像９８が拡散板７４の下方に配置されて表示される。
【００６２】
ネガフイルム３８の観察が終了し、フイルムカートリッジ３５をカートリッジ室４５から取り出す際には、予め巻戻しスイッチ１０３を操作してネガフイルム３８を全てフイルムカートリッジ３５内に巻き戻しておく。なお、ネガフイルム３８を巻き戻さずに蓋部材５３を開放しようとしても、遮光蓋４１がネガフイルム３８によって閉じられないことから、操作レバー５８の操作は防止される。
【００６３】
巻戻しスイッチ１０３が操作されると、制御回路９２はモータ８１を駆動してスプール駆動軸８０をフイルム巻戻し方向に回転させ、ネガフイルム３８を全てフイルムカートリッジ３５内に巻き戻す。またデータ板検出センサ９５はデータ板８４の切欠の位置を検出し、制御回路９２はデータ板検出センサ９５からの検出信号を確認してスプール３７を所定の位置で停止させる。これにより、表示板８３は現像済みを示す表示マーク４３ｄの背後に配置される。
【００６４】
その後、操作レバー５８を開放側に回動操作することにより、フイルムカートリッジ３５の遮光蓋４１が閉じ位置に回動されて、蓋部材５３が開放され、フイルムカートリッジ３５のカートリッジ室４５からの取り出しが可能となる。
【００６５】
また、図７に示すように、ネガフイルム３８には、撮影されたカメラによっては撮影画面９８の端縁に、標準，ワイド，パノラマ等を示すマーク１１０が写し込まれるが、画像入力装置２でこのマーク１１０を撮像できるようにして、後の画像処理等で利用できるようにすることもできる。
【００６６】
なお、上記実施形態では、フイルムカートリッジに収納された現像済み写真フイルムとしてネガフイルムを用いたが、ポジフイルムでも同様の作用が得られる。また、遮光蓋の開閉を蓋部材のロック機構で連係して行うようにしたが、モータの駆動によって行うようにしてもよい。更に、ネガフイルム搬送時のパーフォレーションの数をカウントしたり、ネガフイルムの磁気記録データを利用して、指定したコマ番号の撮影画像を頭出しすることもできる。また、観察用アダプタにネガフイルムの磁気記録データを読み取る磁気ヘッドを設け、画像入力装置とでこのデータを取り込み、データに合わせて色調補正等を行うこともできる。更に、フイルムカートリッジからネガフイルムが引き出されている状態をセンサで検出して、蓋部材をロックすることもできる。
【００６７】
また、フイルム通路を構成する上搬送ガイドと外装板とを全て拡散板で形成してもよい。
【００６８】
【発明の効果】
以上で説明したように、本発明の写真フイルム画像の観察用アダプタは、現像済みの写真フイルムが収納されたフイルムカートリッジをそのままカートリッジ室に装填し、モータ等からなるフイルム搬送機構によってフイルムカートリッジ内の写真フイルムをフイルム巻取り室との間で搬送するようにしたので、１３５サイズの写真フイルム用観察装置において、フイルムカートリッジ内の写真フイルムを傷つけずに容易に観察することができる。また、フイルム通路に照明用の拡散板を設けたので、写真フイルムが均一に照明されて精度よく画像を観察できるようになる。
【００６９】
また、カートリッジ室内でフイルムカートリッジから写真フイルムが引き出されているときには、カートリッジ室の蓋部材の開放をロック機構によって阻止するようにしたので、写真フイルムが傷つくようなことはない。更に、モータの電源に電池を用いたので、持ち運びも容易であり、観察用アダプタ単体での写真フイルムの搬送が可能となる。また、フイルム搬送機構の駆動を切り替える操作スイッチを設けたので、容易に写真フイルムの先端側と後端側との画像を観察することができる。
【００７０】
更に、カートリッジ室内に、フイルムカートリッジの遮光蓋を開閉位置の間で回動させる遮光蓋駆動機構を設け、この機構をカートリッジ室の蓋部材の開閉操作に連係して駆動されるようにしたので、遮光蓋と蓋部材との開閉が一操作で行えるようになる。
【００７１】
また、フイルム巻取り室から写真フイルムを巻戻した後に、写真フイルムの使用状態を示す表示機構が現像済みを示すようにしたので、カメラ等への誤装填を防止することができる。
【図面の簡単な説明】
【図１】本発明の写真フイルム画像の観察用アダプタの外観を示す斜視図である。
【図２】観察用アダプタが用いられる画像入力装置の不使用状態を示す外観斜視図である。
【図３】画像入力装置の構成を示す分解斜視図である。
【図４】フイルム出入り口開放時のフイルムカートリッジの要部断面図である。
【図５】フイルム出入り口閉鎖時のフイルムカートリッジの要部断面図である。
【図６】蓋部材のロック機構を示す分解斜視図である。
【図７】フイルム通路部の要部断面図である。
【図８】写真フイルム画像の観察用アダプタの内部構成を示す概略図である。
【図９】観察用アダプタの使用状態を示す画像入力装置の外観斜視図である。
【符号の説明】
２  画像入力装置
３３  写真フイルム画像の観察用アダプタ
３５  フイルムカートリッジ
３７  スプール
３８  ネガフイルム
４０  フイルム出入り口
４１  遮光蓋
４５  カートリッジ室
４６  第１本体部
４７  フイルム巻取り室
４８  電池
４９  電池室
５０  第２本体部
５１  フイルム通路部
５３  蓋部材
５８  操作レバー
６９  フイルム通路
７３  開口
７４  拡散板
【図１】
0003595620.tif 000002
【図２】
0003595620.tif 000003
【図３】
0003595620.tif 000004
【図４】
0003595620.tif 000005
【図５】
0003595620.tif 000006
【図６】
0003595620.tif 000007
【図７】
0003595620.tif 000008
【図８】
0003595620.tif 000009
【図９】
0003595620.tif 000010